(57)【要約】      （修正有）【課題】ステイオンタブ方式の缶蓋において、軽い力でタブを持ち上げることを可能として開口部の切溝を容易に破断し開缶できる缶蓋を提供する。【解決手段】缶蓋本体１の天板パネル部に切溝２１を刻設して形成した破断開口部２０を、中央パネル部にリベット３により連結したタブ１０で破断して開口するステイオンタブ方式の缶蓋Ａにおいて、前記タブがタブ本体１１と可動タブ１２とからなり、タブを長手方向に対して伸縮自在に移動するように構成する。開缶するときは前記可動タブを引き延ばしタブを長くして、前記タブへの指係りを容易にする。【選択図】          図１
2004217222.tif 000002
【特許請求の範囲】
【請求項１】
天板のパネル部に切溝を刻設して形成した破断開口部をパネル部中央にリベットにより嵌着されたタブで破断して開口する缶蓋において、前記タブが長手方向に対して伸縮自在に構成されていることを特徴とする容易開口性缶蓋。
【請求項２】
前記タブは弧状のタブノーズを有するタブ本体と伸縮自在の可動タブから構成されていることを特徴とする請求項１記載の容易開口性缶蓋。
【請求項３】
前記タブ本体はタブノーズに対抗する側の上面または下面のいづれか一方に可動タブ挿入部を設けていることを特徴とする請求項２記載の容易開口性缶蓋。
【請求項４】
前記可動タブ挿入部はほぼ円筒状のパイプであり、伸縮自在の可動タブは該円筒状のパイプに挿入されていることを特徴とする請求項３記載の容易開口性缶蓋。
【請求項５】
前記可動タブ挿入部はタブ本体の側縁部を断面半円弧状にカール成形し、伸縮自在の可動タブが半円弧状部に挿入されていることを特徴とする請求項３記載の容易開口性缶蓋。
【請求項６】
前記可動タブは円柱または円筒の棒をはぼＵ字型に加工し、指を掛ける側を上方に折り曲げていることを特徴とする請求項４記載の容易開口性缶蓋。
【請求項７】
前記可動タブは平板をＵ字型に加工し、指を掛ける側を上方に折り曲げていることを特徴とする請求項５記載の容易開口性缶蓋。
【発明の詳細な説明】
【０００１】
【産業上の利用分野】
この発明は、例えば清涼飲料やビール等に用いられるステイオンタブ方式の缶蓋に関し、特に、缶内が減圧である負圧缶を開口する際に、タブへの指掛かりを容易にするように改善した容易開口性缶蓋に関する。
【０００２】
【従来の技術】
一般に、この種の容易開口性缶蓋は、中央パネル部に開口用切溝を刻設して形成した開口部を、天板パネル中央部にリベット止めしたタブを持ち上げて、梃子作用により開口用切溝の破断を進行させ開口片の一部を缶蓋に連結したまま缶内に押し込み開口する缶蓋である。
【０００３】
このような缶蓋においては、公知技術として、缶蓋の天板パネル部とタブの指掛り部との間隙を広めて指の挿入および指掛りを容易にするため、指挿入用凹部をタブ指掛り部の下方のパネル部に形成する（例えば特許文献１参照）。タブをリベットを中心に回転させ、パネルに形成した凸部に押し上げ、パネルと指掛り部の間隙を広くし指挿入を容易にする（例えば特許文献２参照）。タブの指掛かりを容易にするため、タブ指掛り部を上方に折り曲げる或いは指掛り部下方に凹部をもうける。（例えば、特許文献３または４参照、）タブの持ち上げを容易にするため、タブノーズ先端の下方のパネル部にタブノーズと同形状凹部を設ける。（例えば特許文献５または６参照）タブを扇のようにワンタッチで広げ長くする（特許文献７参照）などの公知技術が存在する。
【０００４】
【特許文献１】
実公昭６３−４０４３９号公報
【特許文献２】
実用新案登録第２５８７４０４号公報
【特許文献３】
録実用新案公報第３０６６７９号
【特許文献４】
登録実用新案公報第３０６４５４９号
【特許文献５】
特許第２６６３３６５号公報
【特許文献６】
実公昭６３−２３３１６号公報
【特許文献７】
実開昭６−１８２４０号公報
【０００５】
【発明が解決しようとする課題】
しかし、このような缶蓋の開口機構においては、タブは缶蓋の天板上面にほとんど密着して設けられていて、特に、缶径の小さい缶では指がタブに指先を掛けることができず、缶の開口を行うことができないという問題があった。また、タブを引き起こすためには、缶を固定し指先に大きな力をかけなければならず、握力のない子供や高齢者、片手が不自由な人には開缶が困難であるとともに、指先や爪を傷つけてしまう恐れの問題があった。
【０００６】
本発明は上記課題に鑑みて、飲料等が入った缶容器を輸送中、或いは店頭において販売するときは作業の障害とならないようにタブをコンパクトに縮め、缶の飲み口を開口するときは指先や爪を傷めることなく、軽い力でタブを持ち上げ容易に開缶を行うことができるステイオンタブ方式の容易開缶性缶蓋を提供することを目的とする。
【０００７】
【課題を解決するための手段】
上記課題を解決するため、缶を開缶するときには缶蓋に嵌着されたタブを長手方向に引き延ばし、タブ端部への指掛かりを容易にすることで前記課題が達成されることを見い出した。
【０００８】
本発明は前記知見に基づきなされたもので、天板のパネル部に切溝を刻設して形成した破断開口部を、パネル部中央にリベットにより嵌着されたタブで破断して開口する缶蓋において、前記タブが長手方向に対して伸縮自在に構成されている。また、前記タブは弧状のタブノーズを有するタブ本体と伸縮自在の可動タブから構成されており、前記タブはタブノーズに対抗する側の上面または下面のいづれか一方に可動タブ挿入部を設けている。更に、前記可動タブ挿入部はほぼ円筒状のパイプであり、伸縮自在の可動タブはこの円筒状のパイプに挿入されている。  前記可動タブ挿入部はタブの側縁部を断面半円弧状に形成し、伸縮自在の可動タブが半円弧状部に挿入されている。一方、前記可動タブは円柱または円筒の棒をはぼＵ字型に加工し、指を掛ける側を上方に折り曲げているか、平板をＵ字型に加工し、指を掛ける側を上方に折り曲げていることを特徴とする容易開口性缶蓋を提供することで前記目的を達成したものである。
【０００９】
【作用】
タブを持ち上げタブ先端で缶蓋の開口部を缶内に押し下げ破断開口する際に、タブを長手方向に引き延ばすことを可能にすることによりタブへの指掛かりを確実にし、且つ、梃子の原理により軽い力でタブを引き起こすことを可能とすることで容易に開口部の切溝を破断して開口する。
【００１０】
【実施例】
以下、本発明にかかる容易開口性缶蓋の具体的な実施形態について、図面を参照しながら説明する。図１は第１実施形態にかかる容易開口性缶蓋の平面図であり、図２は第１実施形態の断面図である。図３、４は他の実施形態にかかる缶蓋の平面図を示す説明図である。
【００１１】
図１、図２に示すように、この缶蓋Ａは蓋本体１と、蓋本体１のほぼ中央部にリベット３で取り付けられたタブ１０と、タブ先端近傍に設けられた開口部２０より構成される。
【００１２】
各部の具体的構造は次のとおりである。蓋本体１はアルミニウム板またはブリキ板で構成されており、中央部の天板２と、周辺部のカール４と、側壁５と天板２の中央部に形成されたリベット３で構成される。天板２内にはリベット３と側壁５の間に切溝２１で囲まれたほぼ円形の開口部２０が形成されている。タブ１０は一般的にはアルミニウム板であり、リベットで蓋本体に固定されたタブ本体１１と可動タブ１２で構成される。
【００１３】
タブ本体１１は図１に図示するようにスライド部１３とタブノーズ１４とからなり、スライド部１３にはタブホルダー１５が形成されている。タブノーズ１４は先端が円弧状で天板２の開口部２０側に位置し、リベットを支点にタブノーズを缶内に押し下げるようにタブ１０を持ち上げ、先端部で開口部２０を押し下げることにより切溝が破断し開口する。タブホルダー１５はタブ本体の長手方向にそった両端縁に形成される。タブホルダー１５は円筒状の筒であり、断面形状１７はほぼ円形せある。通常、タブホルダー１５はタブ本体１１の端縁部の素材を円筒状に曲げ加工してスライド部上側または下側に形成される。可動タブ１２はアルミニウムの丸棒をＵ字型に加工した形状のもので、Ｕ字型の底部に当たる位置が缶蓋上方に湾曲した指掛かり部１６を構成し、タブホルダー１５内に挿入されている。可動タブ１２はタブホルダー１５内を移動可能な寸法で嵌合されている。可動タブ１２を長手方向に引き延ばした場合の寸法は、タブの指掛かり部１６が缶蓋Ａの側壁５まで延びるか、或いはカール部４を乗り越え外側にはみ出す寸法関係にあることが好ましい。この構成によりタブ２の長手方向の長さを伸縮自在にすることが可能となり、タブ２に指を掛けることが容易となる。
【００１４】
図３、図４を参照しながら、他の実施形態について説明する。図３は１個のタブホルダー１５ａをタブ本体１１のスライド部１３ａの上方に設けものである。タブホルダー１５ａの断面形状１７ａは細長い長楕円の筒である。このタブホルダー１５ａ内に矩形かつ板状の可動タブ１２ａを挿入したものである。可動タブ１２ａの指掛かり部１６ａは天板２に対し上方に湾曲している。またタブホルダー１５ａをタブ本体１１の下方に設けることも可能である。
【００１５】
図４はタブ本体１１のスライド部１３ｂの長手側端縁部を下方にタブホルダー１５ｂを設けたものである。タブホルダー１５ａの断面形状１７ｂはスライド部端縁部を半円弧状にカール加工してフック部とし、このフック部に可動タブ１６ｂを挿入したものである。このフック部はスライド部１３ｂの上方に設けることも可能である。
【００１６】
【発明の効果】
以上説明したように、本発明にかかる容易開口性缶蓋によれば、飲料等を詰めた缶容器を輸送或いは店頭に展示するときは、タブを小さくコンパクトに縮めておくことができ、缶容器の開口部を開缶するときは、タブを引き延ばすことによりタブの指掛かり部に指先が容易に掛かり、簡単且つ軽い力でタブを引き起こすことが可能となる。
また、タブを簡単に伸縮することで開缶できるため、爪を傷つけることなく、力の弱い子供や高齢者とっても簡単に飲み口を開封することができ、ドライブの途中や片手しか使えないとき、手袋等をしていてタブに指が掛けずらいとき等も同様に簡単に開封することができる。
【図面の簡単な説明】
【図１】本発明の缶蓋の平面図を示す。
【図２】本発明の缶蓋の断面図を示す。
【図３】他の実施形態を示す平面図である。
【図４】他の実施形態を示す平面図である。
【符号の説明】
Ａ    缶蓋
１    蓋本体
２    天板
３    リベット
４    カール
５    側壁
１０    タブ
１１    タブ本体
１２    可動タブ
１２ａ  可動タブ
１２ｂ  可動タブ
１３    スライド部
１３ａ  スライド部
１３ｂ  スライド部
１４    タブノーズ
１５    タブホルダー
１５ａ  タブホルダー
１５ｂ  タブホルダー
１６    指掛かり部
１６ａ  指掛かり部
１６ｂ  指掛かり部
１７    タブホルダー断面形状
１７ａ  タブホルダー断面形状
１７ｂ  タブホルダー断面形状
２０    開口部
２１    切溝
【図１】
2004217222.tif 000003
【図２】
2004217222.tif 000004
【図３】
2004217222.tif 000005
【図４】
2004217222.tif 000006